(57)【特許請求の範囲】
【請求項１】
複数のピンから振動及び低周波の電気信号を付与するマッサージ器であって、互いに所定間隔を隔てて形成された複数の第１のピン孔を上面に有するケースと、上記ケースの内部で上記上面に沿って配置され且つ上記複数の第１のピン孔に対応して形成された複数の第２のピン孔を有する第１のプレートと、上記複数の第１、第２のピン孔に挿通され且つそれぞれの基端部に係止部を有する複数のピンと、上記複数のピンそれぞれの係止部を上記第１のプレートとで挟んで上記複数のピンを上記第２のプレートに垂直に固定する第２のプレートと、上記ケースの上面の中央部で上記第１、第２のプレートを懸垂支持し且つ上記第１、第２のプレートを上記ケースの上面に対して弾力的に接触させる支持機構と、上記ケースの内部で上記第１、第２のプレートを一体的に昇降させて上記ケースの上面でのピン高さを設定するピン高さ設定機構と、を備えたことを特徴とするマッサージ器。
【請求項２】
上記支持機構は、一端が上記ケースの上面で係止し他端が上記第１、第２のプレートを貫通する支持部材と、上記第２のプレートから突出する支持部材に装着されたバネ部材と、上記支持部材の他端に固定されて上記第２のプレートとの間で上記バネ部材に弾力を付与する固定部材と、を有することを特徴とする請求項１に記載のマッサージ器。
【請求項３】
上記ピン高さ設定機構は、上記ケースの内部を横断する回転軸と、上記回転軸に装着されたカムと、上記第２のプレートから垂下し上記カムが接触するブラケットと、上記回転軸をその両端部で支持する支持体と、上記回転軸を上記ケースの側面で回転操作する操作部材と、を有することを特徴とする請求項１または請求項２に記載のマッサージ器。
【請求項４】
上記カムは、上記ブラケット、第１、第２のプレートを介して上記複数のピンの高さをそれぞれ３段階で切換可能に形成されていることを特徴とする請求項３に記載のマッサージ器。
【発明の詳細な説明】
【技術分野】
【０００１】
本発明は、複数のピンを介して肌や筋肉に適度な刺激を与えて肌や筋肉を活性化させるマッサージ器に関し、更に詳しくは、複数のピンの肌との接触強度が調整できると共に複数のピンが肌に均等に接触して肌や筋肉に均一な刺激を与えることができるマッサージ器に関するものである。
【背景技術】
【０００２】
従来から血行障害を改善して肌や筋肉の活性化を図るために、肌に振動を与えるだけのマッサージ器が広く使用されている。また、筋肉痛等に対して低周波パルスの電気信号を肌に印加して肌や筋肉を活性化して自然治癒力を高める機器が知られている。
【０００３】
しかしながら、従来のマッサージ器の場合には、筋肉の内部まで振動が到達し難く、必ずしも十分な効果が得られていない。また、低周波パルスを印加する機器の場合には、電気信号を印加する部分で「ピリピリ」感があって必ずしも快適なものではなかった。
【０００４】
そこで、本出願人は、特許文献１において、複数のピンを介して肌に振動を与えると同時に低周波信号を印加するマッサージ器を提案している。このマッサージ器は、筋肉の内部まで振動が到達し、しかも「ピリピリ」感のないものである。
【０００５】
【特許文献１】特許第３７４４６６２号
【発明の概要】
【発明が解決しようとする課題】
【０００６】
しかしながら、特許文献１において提案したマッサージ器の場合、複数のピンがそれぞれ固定されているため、肌の曲面に追随せずそれぞれのピンと肌とが均一に接触せず、複数のピン間で接触強度に強弱があり、必ずしも複数のピンそれぞれから肌や筋肉に対して均一な振動や電気信号を与えることができなかった。
【０００７】
本発明は、上記課題を解決するためになされたもので、複数のピンが如何なる部位の患部にも均等に接触して肌や筋肉に均一な振動と電気的信号に基づく刺激を与えることができ、しかも振動及び電気的信号の到達深さを調整することができるマッサージ器を提供することを目的としている。
【課題を解決するための手段】
【０００８】
本発明の請求項１に記載のマッサージ器は、複数のピンから振動及び低周波の電気信号を付与するマッサージ器であって、互いに所定間隔を隔てて形成された複数の第１のピン孔を上面に有するケースと、上記ケースの内部で上記上面に沿って配置され且つ上記複数の第１のピン孔に対応して形成された複数の第２のピン孔を有する第１のプレートと、上記複数の第１、第２のピン孔に挿通され且つそれぞれの基端部に係止部を有する複数のピンと、上記複数のピンそれぞれの係止部を上記第１のプレートとで挟んで上記複数のピンを上記第２のプレートに垂直に固定する第２のプレートと、上記ケースの上面の中央部で上記第１、第２のプレートを懸垂支持し且つ上記第１、第２のプレートを上記ケースの上面に対して弾力的に接触させる支持機構と、上記ケースの内部で上記第１、第２のプレートを一体的に昇降させて上記ケースの上面でのピン高さを設定するピン高さ設定機構と、を備えたことを特徴とするものである。
【０００９】
また、本発明の請求項２に記載のマッサージ器は、請求項１に記載の発明において、上記支持機構は、一端が上記ケースの上面で係止し他端が上記第１、第２のプレートを貫通する支持部材と、上記第２のプレートから突出する支持部材に装着されたバネ部材と、上記支持部材の他端に固定されて上記第２のプレートとの間で上記バネ部材に弾力を付与する固定部材と、を有することを特徴とするものである。
【００１０】
また、本発明の請求項３に記載のマッサージ器は、請求項１または請求項２に記載の発明において、上記ピン高さ設定機構は、上記ケースの内部を横断する回転軸と、上記回転軸に装着されたカムと、上記第２のプレートから垂下し上記カムが接触するブラケットと、上記回転軸をその両端部で支持する支持体と、上記回転軸を上記ケースの側面で回転操作する操作部材と、を有することを特徴とするものである。
【００１１】
また、本発明の請求項４に記載のマッサージ器は、請求項３に記載の発明において、上記カムは、上記ブラケット、第１、第２のプレートを介して上記複数のピンの高さをそれぞれ３段階で切換可能に形成されていることを特徴とするものである。
【発明の効果】
【００１２】
本発明によれば、複数のピンが如何なる部位の患部にも均等に接触して肌や筋肉に均一な振動と電気的信号に基づく刺激を与えることができ、しかも振動及び電気的信号の到達深さを調整することができるマッサージ器を提供することができる。
【図面の簡単な説明】
【００１３】
【図１】(ａ)、(ｂ)はそれぞれ本発明のマッサージ器の一実施形態を示す図で、(ａ)はマッサージ器本体を示す側面図、(ｂ)はマッサージ器本体のコントローラを示す斜視図である。
【図２】(ａ)〜（ｃ）はそれぞれ図１の（ａ）に示すマッサージ器本体を示す図で、(ａ)はその内部を示す平面図、(ｂ)はその内部を示す側面図、（ｃ）はマッサージ器本体に設けられた支持機構を示す側面図である。
【図３】(ａ)〜(ｃ)はそれぞれ図１の（ａ）に示すマッサージ器本体を示す図で、(ａ)はその内部を示す平面図、(ｂ)は(ａ)のＢ―Ｂ線に沿う断面図、(ｃ)は(ａ)のＣ―Ｃ線に沿う断面図である。
【図４】(ａ)、(ｂ)はそれぞれ図３の(ｃ)に示すカムを取り出して示す図で、(ａ)はその側面図、(ｂ)は(ａ)のＢ―Ｂ線に沿う断面図、(ｃ)は(ａ)のＣ―Ｃ線に沿う断面図である。
【図５】(ａ)、(ｂ)はそれぞれ図３の(ａ)に示す振動発生手段を取り出して示す図で、(ａ)はその側面図、(ｂ)は錘側からの正面図である。
【図６】図１に示すマッサージ器の電気系統を示すブロック図である。
【発明を実施するための形態】
【００１４】
以下、図１〜図６に示す実施形態に基づいて本発明を説明する。
【００１５】
本実施形態のマッサージ器１０は、図１の（ａ）、（ｂ）に示すように、マッサージ器本体１１と、このマッサージ器本体１１に接続されるコントローラ１２と、を備え、コントローラ１２を介してマッサージ器本体１１を操作して患部の肌や筋肉に振動を付与すると同時に低周波信号による電気的刺激を付与するように構成されている。マッサージ器１０を使用する場合には、マッサージ器本体１１を患部に当て、伸縮性のあるベルトを巻き付けてマッサージ器本体１１を患部に固定することによって、マッサージ器１０の使い勝手を高めることができる。マッサージ器本体１１の裏面とベルトにはそれぞれ互いに対をなす面ファスナが設けられ、ベルトにマッサージ器本体１１を着脱自在に固定し、ベルトを介して人体に装着することができる。コントローラ１２についても同様に面ファスナを介してベルトに着脱できるようになっている。
【００１６】
まず、マッサージ器本体１１について説明する。マッサージ器本体１１は、図１の（ａ）、図２、図３に示すように、マトリックス状に配置して形成された複数の第１のピン孔１３Ａを上面に有する平面形状が長円形のケース１３と、上端がケース１３の内部から外部へ複数の第１のピン孔１３Ａそれぞれから突出するように設けられ且つ基端部がフランジ状の係止部１４Ａとして形成された複数のピン１４と、複数のピン１４の係止部１４Ａを挟みケース１３の上面に沿ってケース１３の内部に配置された上下二枚の第１、第２のプレート１５、１６と、第１、第２のプレート１５、１６をケース１３の上面の一箇所で傾斜可能に懸垂支持し且つ第１、第２のプレート１５、１６をケース１３の上面に対して弾力的に接触させる支持機構１７と、第１、第２のプレート１５、１６を複数段階で昇降させて複数のピン１４のケース１３からの突出高さを調整するピン高さ設定機構１８と、を備えている。ピン１４の外径は、第１のピン孔１３Ａの孔径より小さく、第１、第２のプレート１５、１６がケース１３の上面に対して傾斜しても複数のピン１４が第１のピン孔１３Ａにおいて自由に昇降できるようになっている。
【００１７】
ケース１３は、図１の（ａ）に示すようにトップケース１３１とボトムケース１３２とに上下に二分割して形成されている。ピン１４及び第１、第２のプレート１５、１６は、いずれも金属等の導電性部材によって形成され、低周波信号が印加されて肌や筋肉に電気的な刺激を付与するように形成されている。図２の（ｂ）、図３の（ｂ）に示すようにケース１３の上面の外周縁部には緩い傾斜面が形成されている。ケース１３の上面の平坦面と傾斜面の境界、傾斜面と外周面との境界は、いずれも湾曲し、角が患部に当たっても滑らかな感触を受けるようにされている。
【００１８】
第１、第２のプレート１５、１６は、図２の（ａ）〜（ｃ）に示すように、それぞれ互いに同一の大きさ（広さ）でケース１３上面の平坦面に見合った面積に形成されている。第１のプレート１５にはケース１３上面の複数の第１のピン孔１３Ａに対応する複数の第２のピン孔１５Ａがマトリックス状に配置して形成されている。複数のピン１４は、ケース１３の複数の第１のピン孔１３Ａと第１のプレート１５の複数の第２のピン孔１５Ａを貫通し、係止部１４Ａが第１のプレート１５と第２のプレート１６によって挟持されていて、これら三者１４、１５、１６は、電気的に導通自在になっている。そして、第１のプレート１５と第２のプレート１６は、互いにネジ部材（図示せず）によって締結、固定されて一体化し、複数のピン１４が第１、第２のプレート１５、１６に植設されたようになっている。
【００１９】
第１、第２のプレート１５、１６は、支持機構１７を介してケース１３の上面に対して傾斜可能に取り付けられている。図示してないが、ケース１３の上面と第１のプレート１５の間にゴムシート等のクッション材を介在させても良い。この場合、ゴムシートは第１のプレート１５と同一形状で同一大きさに形成されていることが好ましい。このゴムシートには全面に亘って第２のピン孔１５Ａと同一パターンのピン孔が全面に形成され、複数のピン１４が貫通するようにしてある。
【００２０】
支持機構１７は、例えば図２の（ｂ）、（ｃ）に示すように、ケース１３の上面と第１、第２のプレート１５、１６の略中央部を貫通してケース１３の上面から垂下する支持ピン１７Ａと、支持ピン１７Ａを囲むように装着されたバネ部材（例えば、コイルスプリング）１７Ｂと、コイルスプリング１７Ｂを圧縮するように支持ピン１７Ａの下端部の雄ネジと螺合して第１、第２のプレート１５、１６をケース１３の上面に弾力的に接触させるナット部材１７Ｃと、コイルスプリング１７Ｂとナット部材１７Ｃの間に介在する座金１７Ｄと、を備え、第１、第２のプレート１５、１６が支持ピン１７Ａ及びコイルスプリング１７Ｂを介して傾斜可能に支持されている。支持ピン１７Ａの頭部は、ケース１３の上面に形成された凹陥部で支持されている。この支持機構１７は、上述のように第１、第２のプレート１５、１６を支持ピン１７Ａを中心にして全方位で傾斜可能に構成され、マッサージする体の曲面に即して傾斜し、複数のピン１４から肌や筋肉に対して極力均等な強度で振動を付与すると同時に低周波のパルス信号を電気的刺激として付与するようになっている。
【００２１】
また、例えば図３の（ａ）、（ｃ）に示すようにケース１３内にはその長手方向の中心を通ってケース１３を横断するピン高さ設定機構１８が設けられている。このピン高さ設定機構１８は、同図に示すように、ケース１３の内部を横断する回転軸１８Ａと、この回転軸１８Ａをケース１３の長手方向の両側面の近傍で支持する一対の支持体１８Ｂと、第２のプレート１６の長手方向の両側縁部にそれぞれ配置して回転軸１８Ａに設けられた左右一対のカム１８Ｃと、これらのカム１８Ｃが常時に接触するように第２のプレート１６下面の両側縁部に設けられた左右一対のブラケット１８Ｄと、ケース１３内から外側へ突出する回転軸１８Ａの一端部に設けられた操作用の摘み１８Ｅと、を備え、摘み１８Ｅを回転操作することによりカム１８Ｃが接触するブラケット１８Ｄを介して第１、第２のプレート１５、１６を複数段階で昇降させ、ケース１３からの複数のピン１４それぞれの突出具合を調整するようにしてある。
【００２２】
第１、第２のプレート１５、１６は、支持機構１８を介してケース１３の上面に対して弾力的に支持されているため、第１、第２のプレート１５、１６がピン高さ設定機構１８を介して複数段階で支持機構１７のコイルスプリング１７Ｂの伸縮に伴って昇降すると、その昇降寸法に応じて複数のピン１４のケース１３からの高さが複数段階で変化し、肌や筋肉との接触強度（接触深さ）を調節し、延いてはピン１４の振動及び電気的信号の到達深さを調整するすることができる。
【００２３】
カム１８Ｃは、図４の（ａ）、（ｃ）に示すように回転軸１８Ａに装着された側面形状が正八角形のカム本体１８Ｃ１と、このカム本体１８Ｃ１の側面に装着された厚さを異にする二種類の円板状の第１、第２の突起１８Ｃ２、１８Ｃ３と、を有している。第１の突起１８Ｃ２は、例えば第２の突起１８Ｃ３の２倍の高さに設定されている。具体的には、第１の突起１８Ｃ２が２ｍｍに設定され、第２の突起１８Ｃ３が１ｍｍに設定されている。また、突起のない側面は高さがゼロに設定されている。第１の突起１８Ｃ２は突起のない部分とは１８０°ずれた位置にある。また、第２の突起１８Ｃ２は第１の突起１８Ｃ２から９０°ずれて互いに対峙して配置されている。
【００２４】
従って、例えば図３の（ｃ）に示すように、カム１８Ｃの突起のない側面がブラケット１８Ｄと接触している時には、第１、第２のプレート１５、１６が支持機構１７のコイルスプリング１７Ｂが最も伸びて複数のピン１４がケース１３の上面から最も突出した状態になる。摘み１８Ｅによってカム１８Ｃを回転させて第１の突起１８Ｃ２がブラケット１８Ｄに接触している時には、第１、第２のプレート１５、１６がコイルスプリング１７Ｂが最も圧縮されて最も低い位置まで下降し、複数のピン１４がケース１３内に最も後退した状態になる。
【００２５】
また、ケース１３の内部には、図３の（ａ）、（ｂ）に示すように振動発生手段１９が設けられている。振動発生手段１９は、ピン高さ設定機構１８で区切られる空間の一方の側（図４の（ａ）ではケース１３の下半分の空間）に設けられている。振動発生手段１９は、図３の（ｂ）、図５の（ａ）、（ｂ）に示すように、モータ１９Ａと、モータ１９Ａの回転軸１９Ｂの外端に装着された錘１９Ｃと、を有し、モータ１９Ａがブラケット１９Ｄを介して第２のプレート１５の下面に取り付けられている。
【００２６】
モータ１９Ａとブラケット１９Ｄの間にゴムシート等のクッション材を介在させても良い。錘１９Ｃは、扇形の中心角の部分が切断され形状を呈している。錘１９Ｃの切断辺の中心と円弧の中心との結線上で回転軸１９Ｂの端部が切断辺側に偏心して連結され、回転軸１９Ｂを中心に錘１９Ｃが偏心回転するようになっている。錘１９Ｃが偏心回転する時、錘１９Ｃの円弧部分が第２のプレート１６から下方への突起部に周期的に接触する。そのため、モータ１９Ａにより錘１９Ｃが偏心回転して第１、第２のプレート１５、１６を介して複数のピン１４に上下方向の振動を付与することができる。
【００２７】
また、図３の（ｂ）に示すようにトップケース１３１の長手方向の左右の傾斜面にはネジ孔を有する一対の突起部１３１Ａが長手方向に前後して形成され、この傾斜面と反対側の傾斜面にも一対の突起部１３１Ａが同様に形成されている。ボトムケース１３２にはトップケース１３１の突起部１３１Ａに対応する筒状の嵌入部１３２Ｂが形成され、嵌入部１３２Ｂの上端面が突起部１３１Ａの下端面と接触するようになっている。嵌入部１３２Ｂの上端面には孔が形成されている。従って、嵌入部１３２Ｂの孔にネジ部材１３３が通されて突起部１３１Ａのネジ孔と螺合することにより、トップケース１３１とボトムケース１１２が接合されてケース１３として一体化するようになっている。
【００２８】
一方、コントローラ１２は、図６に示すように、電源スイッチ１２Ａ（図１の（ｂ）参照）の押圧操作でＯＮ、ＯＦＦする電源回路１２Ｂと、振動発生手段１９を駆動させる駆動回路１２Ｃと、低周波のパルス信号を発生する低周波発生回路１２Ｄと、タイマ回路１２Ｅと、を備え、これらの機器は図１の（ｂ）に示すケース１２Ｆ内に収納されている。また、図１の（ｂ）に示すようにケース１２Ｆの二側面には電源入力部１２Ｇと電力出力部１２Ｈがそれぞれ設けられている。電源入力部１２Ｇにはアダプタを介して商用交流電源が接続されると共に電力出力部１２Ｈには配線を介してマッサージ器本体１１が接続され、マッサージ器１０として使用される。マッサージ器本体１１の側面には電力出力１２Ｈに接続された配線が入力する入力部（図示せず）が形成され、この入力部にはモータ１９Ａの配線や低周波用の配線が接続さている。従って、入力部に接続された低周波用の配線が第２のプレート１６に電気的に接続され、複数のピン１４に低周波信号を印加するようになっている。
【００２９】
また、ケース１２Ｆの上面には電源スイッチ１２Ａによる電源回路１２ＢのＯＮ、ＯＦＦを点灯表示する表示灯１２Ｉが設けられている。ケース１２Ｆの側面には低周波発生回路１２Ｄの出力値を調整する低周波調整摘み１２Ｊが設けられ、患部の状況に応じて低周波調整摘み１２Ｊを操作し、低周波調整回路１２Ｄ１（図６参照）を介して低周波発生回路１２Ｄの出力値を設定するようにしてある。また、同様に振動数調整摘み（図示せず）を操作し、振動調整回路１２Ｃ１（図６参照）を介して駆動回路１２Ｃを調整し、振動発生手段１９の振動数を設定するようにしてある。尚、１２Ｋ、１２Ｌはアース接続部である。コントローラ１２は、図示してないが入力部にＡ−Ｄコンバータ、出力部にＤ−Ａコンバータ及び増幅回路を備えている。
【００３０】
次に、マッサージ器１０の動作について説明する。まず、コントローラ１２を商用交流電源にアダプタを介して接続するか、コントローラ１２に電池を装着して電源を確保した後、マッサージ器本体１１とコントローラ１２を電気的に接続してマッサージ器１０を使用できる状態にする。
【００３１】
然る後、マッサージ器本体１１を患部に当て、マッサージ器本体１１をベルトを介して患部に固定する。この状態でコントローラ１２の電源スイッチ１２Ｂを押下して電源回路１２Ｂを付勢すると表示灯１２Ｉが点灯すると共に振動発生手段１９が駆動回路１２Ｃを介して駆動し、第１、第２プレート１５、１６から複数のピン１４を介して患部に振動を付与する一方、低周波発生回路１２Ｄから第１、第２プレート１５、１６と複数のピン１４を介して患部に低周波のパルス信号を印加する。この際、患部での低周波のパルス信号によるピリピリ感が振動により緩和されて、電気信号による不快感が感じられない。
【００３２】
この時、患部に振動と低周波パルス信号が十分に到達せず、効き目が弱い場合には、ピン高さ設定機構１８の摘み１８Ｅを回転操作し、高さの異なる二種類のカム１８Ｃを介してケース１３の上面からの複数のピン１４をより高く設定して複数のピン１４を患部に対して深く接触させる。複数のピン１４の高さを高くすることで、複数のピン１４が患部に深く食い込むほどに強く接触する。こうすることで振動発生手段１９からの振動強度と低周波発生回路１２Ｄからの低周波のパルス信号強度を変更しなくても振動と低周波パルス信号が肌や筋肉内に深く到達し、治癒効果を高めることができる。
【００３３】
それでもまだ十分な効き目が得られない場合には、低周波調整摘み１２Ｊと振動数調整摘みを操作し、振動発生手段１９及び低周波発生回路１２Ｄからの強度を適宜高めて効き目を高める。振動強度や低周波パルス信号強度が強くなりすぎる場合には、上述の操作とは逆の操作を行って振動と低周波パルス信号の強度を緩和することができる。
【００３４】
患部に曲面があってもマッサージ器本体１１を患部に当てることにより複数のピン１４が支持機構１７を中心にして患部の曲面に倣って傾き、複数のピン１４それぞれが患部に対して略均一の強度で接触し、肌と筋肉に対して振動と低周波パルス信号を略同一強度で付与し、安定した効き目を得ることができる。
【００３５】
以上説明したように本実施形態によれば、マッサージ器１０は、複数の第１のピン孔１３Ａを有するケース１３と、複数の第１のピン孔１３Ａに対応する複数の第２のピン孔１５Ａを有する第１のプレート１５と、基端部に係止部１４Ａを有する複数のピン１４と、複数のピン１４の係止部１４Ａを第１のプレート１５とで挟んで固定する第２のプレート１６と、第１、第２のプレート１５、１６をケース１３の上面に対して傾斜自在に支持する支持機構１７と、ケース１３の内部で第１、第２のプレート１５、１６を介してピン高さを調整するピン高さ調整機構１８と、備えているため、複数のピン１４が如何なる部位で傾斜する均等であってもその幹部の傾斜に追随して接触し、肌や筋肉に均一な振動と電気的信号に基づく刺激を与えることができ、しかも効き目に応じて振動及び電気的信号の到達深さを調整することができる
【００３６】
また、本実施形態によれば、支持機構１７は、上端がケース１３の上面で係止し他端が第１、第２のプレート１５、１６を貫通する支持ピン１７Ａと、第２のプレート１６から突出する支持ピン１７Ａに装着されたコイルスプリング１７Ｂと、支持ピン１７Ａの下端に固定されて第２のプレート１６との間でコイルスプリング１７Ｂに弾力を付与するナット部材１７Ｃと、を有するため、複数のピン１４が患部に対して弾力的に接触し、安定した効き目を得ることができる。
【００３７】
また、本実施形態によれば、ピン高さ設定機構１８は、ケース１３の内部を横断する回転軸１８Ａと、回転軸１８Ａをその両端部で支持する支持部材１８Ｂと、回転軸１８Ａに装着されたカム１８Ｃと、第２のプレート１６から垂下しカム１８Ｃが接触するブラケット１８Ｄと、回転軸１８Ａをケース１３の側面で回転操作する操作用の摘み１８Ｅと、を有するため、必要に応じて患部に対する複数のピン１４の接触強度を調整し、延いては複数のピン１４から付与する振動と低周波パルス信号の到達深さを調整することができる。
【００３８】
尚、本発明は上記実施形態に何ら制限されるものではなく、各構成要素を適宜設計変更することができる。
【符号の説明】
【００３９】
１０    マッサージ器
１３    ケース
１３Ａ  第１のピン孔
１４    ピン
１４Ａ  係止部
１５    第１のプレート
１５Ａ  第１のピン孔
１６    第２のプレート
１７    支持機構
１７Ａ  支持ピン（支持部材）
１７Ｂ  コイルスプリング（バネ部材）
１７Ｃ  固定部材
１８    ピン高さ設定機構
１８Ａ  回転軸
１８Ｂ  支持体
１８Ｃ  カム
１８Ｄ  ブラケット
１８Ｅ  摘み（操作部材）
【要約】
【課題】複数のピンが患部に均等に接触して肌や筋肉に均一な刺激を与えることができるマッサージ器マッサージ器を提供する。
【解決手段】本発明のマッサージ器１０は、複数の第１のピン孔１３Ａを有するケース１３と、複数の第１のピン孔１３Ａに対応する複数の第２のピン孔１５Ａを有する第１のプレート１５と、基端部に係止部１４Ａを有する複数のピン１４と、複数のピン１４の係止部１４Ａを第１のプレート１５とで挟んで固定する第２のプレート１６と、第１、第２のプレート１５、１６をケース１３の上面に対して傾斜自在に支持する支持機構１７と、ケース１３の内部で第１、第２のプレート１５、１６を介してケース１３の上面でのピン高さを調整するピン高さ調整機構１８と、備えている。
【選択図】図２【図１】
0005498609.tif 000002
【図２】
0005498609.tif 000003
【図３】
0005498609.tif 000004
【図４】
0005498609.tif 000005
【図５】
0005498609.tif 000006
【図６】
0005498609.tif 000007